(57)【要約】【課題】  ユーザーが頻繁に視聴する放送の時間帯になると、当該放送を視聴するよう通知する視聴案内装置を提供すること。【解決手段】コントローラ７は、計時機器４から日付、曜日および時刻を所定時間毎に取得し、当該日付、当該曜日の当該時刻前後の時間帯における、各チャンネルと対応する視聴回数カウンタの値を、データ記憶器６から読み出す。所定値以上の視聴回数カウンタがあった場合、コントローラ７は、当該日付、当該曜日の当該時刻前後の時間帯における、当該カウンタに対応するチャンネルで行われる放送が、ユーザーによって頻繁に視聴される放送であると判断し、案内画像データおよび案内音声データを生成して、車載用テレビＡへと出力してユーザーに通知させる。これより、ユーザーは当該放送を確実に視聴できるとともに、他のチャンネルを視聴することも可能となる。【選択図】      図１
2006270611.tif 000002
【特許請求の範囲】
【請求項１】
放送視聴装置によって放送が視聴された日付、曜日、視聴された時間帯、および視聴された放送局名がリンクして記憶される記憶手段と、
前記記憶手段にリンクして記憶された前記日付、曜日、前記時間帯、前記放送局名の各々から、各曜日の各時間帯において、各放送局の放送が視聴された回数および頻度の少なくとも一方を、それぞれ算出する算出手段と、
日付、曜日および時刻を検出する検出手段と、
前記検出手段によって検出された日付、曜日および時刻から、当該曜日における当該時刻前後の時間帯において、前記算出手段が算出した前記視聴回数または頻度が所定値を上回る放送局がある場合には、当該放送局の放送を視聴するよう報知する制御手段を備えることを特徴とする視聴案内装置。
【請求項２】
前記制御手段は、前記検出手段によって検出された日付、曜日および時刻から、当該日付および当該曜日における当該時刻前後の時間帯において、前記算出手段が算出した前記視聴回数または頻度が所定値を上回る放送局の放送局名を報知することを特徴とする請求項１に記載の視聴案内装置。
【請求項３】
各日付、各曜日における各時間帯において各放送局が放送する放送番組名を記憶するデータベース手段を設け、
前記制御手段は、前記検出手段によって検出された日付、曜日および時刻から、当該日付および当該曜日における当該時刻前後の時間帯において、前記算出手段が算出した前記視聴回数または頻度が所定値を上回る放送局が放送する放送番組名を、前記データベース手段から読み出して報知することを特徴とする請求項１または請求項２に記載の視聴案内装置。
【請求項４】
前記制御手段は、前記検出手段によって検出された日付、曜日および時刻から、当該日付および当該曜日における当該時刻前後の時間帯において、前記算出手段が算出した前記視聴回数または頻度が所定値を上回る放送局へと、前記放送視聴装置が受信する放送局を切り換えることを特徴とする請求項１から請求項３のいずれかに記載の視聴案内装置。
【請求項５】
前記放送視聴装置が受信する放送を録画する録画機器を設け、
前記録画機器によって放送が録画される日付、曜日、録画される時間帯、録画される放送局名が設定された場合、前記算出手段は、前記録画機器に設定された前記録画日付、前記録画曜日および前記録画時間帯に前記録画放送局名の放送が視聴されるものとして、各日付、各曜日および各時間帯において各放送局の視聴された回数および頻度の少なくとも一方を算出することを特徴とする請求項１から請求項４のいずれかに記載の視聴案内装置。
【請求項６】
前記記憶手段には、前記放送視聴装置によって所定時間以上継続して同一の放送が視聴された場合に、当該放送が視聴された日付、曜日、視聴された時間帯、および視聴された放送局名がリンクして記憶されることを特徴とする請求項１から請求項５のいずれかに記載の視聴案内装置。
【請求項７】
前記制御手段は、前記放送視聴装置の備える表示機器かつ／または音声出力機器を利用して、前記報知動作を行うことを特徴とする請求項１から請求項６のいずれかに記載の視聴案内装置。
【請求項８】
前記視聴案内装置は、車両に搭載された前記放送視聴装置に接続されて動作することを特徴とする請求項１から請求項７のいずれかに記載の視聴案内装置。
【発明の詳細な説明】
【技術分野】
【０００１】
本発明は、ユーザーが頻繁に視聴する放送の時間帯になると、当該放送を視聴するよう報知する視聴案内装置に関する。
【背景技術】
【０００２】
従来、テレビやラジオのチャンネルを、ユーザーが頻繁に視聴するチャンネルへと自動的に変更する装置が公知である。例えば特許文献１の装置では、ユーザーがテレビやラジオを視聴するたびに、視聴した曜日、視聴時間帯、視聴中のチャンネルを記憶する。各曜日の各時間帯においてユーザーが頻繁に視聴するチャンネルがある場合、従来装置は、当該曜日の当該時間帯になると、当該チャンネルへと自動的にチャンネルの変更を行う。
【特許文献１】特開平０９−１４８９５３号公報
【発明の開示】
【発明が解決しようとする課題】
【０００３】
従来装置では、各曜日の各時間帯においてユーザーが頻繁に視聴するチャンネルがある場合、当該曜日の当該時間帯になると、当該チャンネルへと自動的にチャンネルの変更を行う。しかしながら、従来装置では、当該曜日の当該時間帯において、チャンネルが自動的に変更されるため、ユーザーは他のチャンネルを視聴することができなくなる。
【０００４】
本発明は、上記の問題に鑑みてなされたものであり、ユーザーが頻繁に視聴する放送の時間帯になると、当該放送を視聴するよう通知する視聴案内装置の提供を目的とする。
【課題を解決するための手段】
【０００５】
上記目的を達成するために、請求項１に記載の視聴案内装置では、放送視聴装置によって放送が視聴された日付、曜日、視聴された時間帯、および視聴された放送局名がリンクして記憶される記憶手段と、記憶手段にリンクして記憶された日付、曜日、時間帯、放送局名の各々から、各曜日の各時間帯において、各放送局の放送が視聴された回数および頻度の少なくとも一方を、それぞれ算出する算出手段と、日付、曜日および時刻を検出する検出手段と、検出手段によって検出された日付、曜日および時刻から、当該曜日における当該時刻前後の時間帯において、算出手段が算出した視聴回数または頻度が所定値を上回る放送局がある場合には、当該放送局の放送を視聴するよう報知する制御手段を備えることを特徴とする。
【０００６】
このように、本発明の視聴案内装置では、算出手段は、記憶手段にリンクして記憶された日付、曜日、時間帯、放送局名の各々から、各日付、各曜日の各時間帯において、各放送局の視聴された回数および頻度の少なくとも一方を、それぞれ算出する。制御手段は、検出手段によって検出された日付、曜日および時刻から、当該日付、当該曜日における当該時刻前後の時間帯において、算出手段が算出した視聴回数および頻度の少なくとも一方が、所定値を上回る放送局がある場合には、当該放送局の放送を視聴するよう報知する。これにより、ユーザーが頻繁に視聴する放送局がある場合、当該日付、当該曜日における当該時間帯前後になると、当該放送を視聴するよう通知することができる。その結果として、ユーザーは当該放送を確実に視聴できるとともに、当該放送が放送される日付、曜日および時間帯において、ユーザーは他のチャンネルを視聴することも可能となる。
【０００７】
請求項２に記載のように、制御手段は、検出手段によって検出された日付、曜日および時刻から、当該日付および当該曜日における当該時刻前後の時間帯において、算出手段が算出した視聴回数または頻度が所定値を上回る放送局の放送局名を報知することが望ましい。これにより、ユーザーが頻繁に視聴する放送が行われる時間帯になると、当該放送が行われる放送局名が報知されるため、ユーザーは当該放送局名を把握することがでるとともに、放送視聴装置の受信する放送局を当該放送局へと確実に変更できる。
【０００８】
請求項３に記載のように、各日付、各曜日における各時間帯において各放送局が放送する放送番組名を記憶するデータベース手段を設け、制御手段は、検出手段によって検出された日付、曜日および時刻から、当該日付および当該曜日における当該時刻前後の時間帯において、算出手段が算出した視聴回数または頻度が所定値を上回る放送局が放送する放送番組名を、データベース手段から読み出して報知することが望ましい。これにより、ユーザーが頻繁に視聴する放送が行われる時間帯になると、当該放送の放送番組名が通知されるため、ユーザーは当該放送の放送番組名を把握することができるとともに、放送視聴装置の受信する放送局を当該放送番組名の放送を行っている放送局へと確実に変更できる。
【０００９】
請求項４に記載のように、制御手段は、検出手段によって検出された日付、曜日および時刻から、当該日付および当該曜日における当該時刻前後の時間帯において、算出手段が算出した視聴回数または頻度が所定値を上回る放送局へと、放送視聴装置が受信する放送局を切り換えることが望ましい。これにより、ユーザーが頻繁に視聴する放送が行われる時間帯になると、放送視聴装置が受信する放送局が当該放送局へと自動的に変更されるため、ユーザーは当該放送を確実に視聴することができる。
【００１０】
請求項５に記載のように、放送視聴装置が受信する放送を録画する録画機器を設け、録画機器によって放送が録画される日付、曜日、録画される時間帯、録画される放送局名が設定された場合、算出手段は、録画機器に設定された録画日付、録画曜日および録画時間帯に録画放送局名の放送が視聴されるものとして、各日付、各曜日および各時間帯において各放送局の視聴された回数および頻度の少なくとも一方を算出することが望ましい。これにより、録画機器によって録画する放送までも考慮して、各日付、各曜日の各時間帯において、各放送局の視聴回数および頻度の少なくとも一方を、それぞれ算出できる。
【００１１】
請求項６に記載のように、記憶手段には、放送視聴装置によって所定時間以上継続して同一の放送が視聴された場合に、当該放送が視聴された日付、曜日、視聴された時間帯、および視聴された放送局名がリンクして記憶されることが望ましい。所定時間以上継続して同一の放送が視聴された場合には、ユーザーが当該放送を視聴したものと確実に判断できるためである。
【００１２】
請求項７に記載のように、制御手段は、放送視聴装置の備える表示機器かつ／または音声出力機器を利用して、報知動作を行うことが望ましい。これにより、本視聴案内装置が報知動作を行うための機器を新たに設ける必要がなく、設計面およびコスト面から好ましい。
【発明を実施するための最良の形態】
【００１３】
図１は、本発明の一実施形態における視聴案内装置の全体構成を示すブロック図である。本視聴案内装置Ｂは車両に搭載され、車載用テレビＡと連動して動作する。
【００１４】
はじめに、車載用テレビＡの各部の構成について説明する。
【００１５】
ＴＶチューナ１は、設定されたチャンネルのＴＶ電波を検波して、映像信号および音声信号を生成する信号処理機器である。具体的には、ＴＶチューナ１は、図示しないアンテナが受信した複数のＴＶ電波のうち、設定されたチャンネルのＴＶ電波を検波し、当該電波に含まれる映像データおよび音声データと搬送波とを分離する。そして、分離した映像データから映像信号を生成し、モニタ２へ出力して映像を表示させるとともに、分離した音声データから音声信号を生成し、スピーカ３へ出力して音声出力を行わせる。
【００１６】
さらに、ＴＶチューナ１は、設定中のチャンネル（視聴中のチャンネル）を示すチャンネルデータを、視聴案内装置Ｂへと出力する。また、視聴案内装置Ｂから案内映像データおよび案内音声データを取得すると、案内映像データの示す映像をモニタ２に表示中の映像に重畳表示させるとともに、案内音声データの示す案内音声をスピーカ３から出力させる。その際、視聴案内装置Ｂからチャンネル変更信号も取得すると、当該信号の指示するチャンネルへと、設定されたチャンネルを自動的に変更することも行う。
【００１７】
次に、視聴案内装置Ｂについて説明する。
【００１８】
計時機器４は、例えばＧＰＳ時計であり、日付、曜日および時刻の検出を行う。日付、曜日および時刻の検出に関しては、電波時計等を用いることとしても良い。
【００１９】
番組名データベース５は、例えばハードディスクに構築され、各日付、各曜日における各時間帯において、各放送局が放送する番組名をデータベースとして記憶する。前述の番組名に関しては、ＣＤ−ＲＯＭやＤＶＤ−ＲＯＭにデータベースを構築することとしても良い。
【００２０】
データ記憶器６は、例えば不揮発性のメモリから構成され、各日付、各曜日における各時間帯別に、車載用テレビＡの各チャンネルが設定された（視聴された）回数をカウントする視聴回数カウンタが設けられる。前述の視聴回数カウンタの各々に関しては、メモリカード等に記憶することとしても良い。
【００２１】
コントローラ７は、公知のコンピュータから構成され、各日付、各曜日における各時間帯別に、車載用テレビＡの各チャンネルが設定された（視聴された）回数をカウントする。具体的には、コントローラ７は、車載用テレビＡから出力されるチャンネルデータを常時監視する。チャンネルデータの示すチャンネルが変更されると、コントローラ７は図示しない内部タイマをリセットし、車載用テレビＡのチャンネルが当該チャンネルに設定されている時間の計測を開始する。内部タイマの示す時間が所定時間に到達すると、コントローラ７は、当該チャンネルの放送が視聴されたものと判断し、計時機器４から日付、曜日および時刻を取得するとともに、データ記憶器６に記憶された、当該日付、当該曜日の当該時刻前後の時間帯における、当該チャンネルと対応する視聴回数カウンタの値を１だけ加算する。
【００２２】
また、コントローラ７は、ユーザーによって頻繁に視聴される放送が行われる時間帯になると、当該放送を視聴するよう通知する。具体的には、コントローラ７は、計時機器４から日付、曜日および時刻を所定時間毎に取得し、当該日付、当該曜日の当該時刻前後の時間帯における、各チャンネルと対応する視聴回数カウンタの値を、データ記憶器６から読み出す。所定値以上の視聴回数カウンタがあった場合、コントローラ７は、当該日付、当該曜日の当該時刻前後の時間帯における、当該カウンタに対応するチャンネルで行われる放送が、ユーザーによって頻繁に視聴される放送であると判断する。そして、当該日付、当該曜日の当該時刻前後において、当該カウンタと対応するチャンネルで放送されている番組名を、番組名データベースから検索する。さらに、検索された番組名の番組が当該カウンタに対応するチャンネルで放送されている旨を示す案内画像データおよび案内音声データを生成し、車載用テレビＡへと出力する。案内画像データおよび案内音声データを車載用テレビＡへと出力して通知を行わせることで、通知のための機器を設ける必要がなく、設計面およびコスト面から好ましい。その際、図示しないチャンネル自動切換スイッチがセットされている場合には、車載用テレビＡに設定されたチャンネルを、当該カウンタと対応するチャンネルへと変更するよう指示するチャンネル変更信号も、車載用テレビＡへと出力する。
【００２３】
図２は、本実施形態の視聴案内装置が、各日付、各曜日の各時間帯別に、車載用テレビＡの各チャンネルが設定された回数をカウントする処理に関するフローチャートである。本フローチャートの処理は、車載用テレビＡから出力されるチャンネルデータの示すチャンネルが変化するたびに実行される。
【００２４】
ステップ２０１では、コントローラ７は、内部タイマをリセットする。ステップ２０２では、内部タイマの示す時間が所定時間に到達したか否かを判定する。所定時間に到達した場合は、ステップ２０３へ進む。未だ所定時間に到達しない場合は、所定時間に到達するまで、本ステップの判定を繰り返す。
【００２５】
ステップ２０３では、計時機器４から日付、曜日および時刻を取得する。ステップ２０４では、データ記憶器６に記憶された各視聴回数カウンタのうち、ステップ２０３で取得した日付、曜日および時刻から、当該日付、当該曜日の当該時刻前後の時間帯における、車載用テレビＡから取得したチャンネルデータの示すチャンネルと対応する視聴回数カウンタの値を１だけ加算して、処理を終了する。車載用テレビＡのチャンネルが所定時間以上継続して同一のチャンネルに設定された場合、ユーザーが当該チャンネルの放送を視聴したものと確実に判断できるためである。
【００２６】
図３は、本実施形態の視聴案内装置が、ユーザーによって頻繁に視聴される放送が行われる時間帯になると、当該放送を視聴するよう通知する処理に関するフローチャートである。本フローチャートの処理は、所定時間毎に実行される。
【００２７】
ステップ３０１では、コントローラ７は、計時機器４から日付、曜日および時刻を取得する。ステップ３０２では、ステップ３０１で取得した日付、曜日および時刻から、当該日付、当該曜日の当該時刻前後の時間帯における、各チャンネルに対応する視聴回数カウンタの値を、データ記憶器６からそれぞれ読み出す。
【００２８】
ステップ３０３では、ステップ３０２で読み出した各視聴回数カウンタの値うち、所定値以上となっている視聴回数カウンタがあるか否かを判定する。所定値以上となっている視聴回数カウンタがある場合は、ステップ３０４へ進む。そうでない場合は、処理を終了する。
【００２９】
ステップ３０４では、ステップ３０３で所定値以上となっていると判定された視聴回数カウンタに対応するチャンネルにおいて、ステップ３０１で取得した日付、曜日および時刻前後の時間帯に放送されている番組の番組名を、番組名データベースから読み出す。ステップ３０５では、ステップ３０３で所定値以上となっていると判定された視聴回数カウンタに対応するチャンネルにおいて、ステップ３０４で取得した番組名の番組が放送されていることを示す案内画像データおよび案内音声データを生成し、車載用テレビＡへと出力する。これにより、ユーザーが頻繁に視聴する放送が行われる時間帯になると、当該放送が行われるチャンネルおよび番組名が車載用テレビＡから通知されるため、ユーザーは車載用テレビＡのチャンネルを当該チャンネルへと確実に変更できる。
【００３０】
ステップ３０６では、図示しないチャンネル自動切換スイッチがセットされているか否かを判定する。当該スイッチがセットされている場合は、ステップ３０７へ進む。そうでない場合は、処理を終了する。
【００３１】
ステップ３０７では、ステップ３０３で所定値以上となっていると判定された視聴回数カウンタに対応するチャンネルへと、車載用テレビＡのチャンネルを変更するよう指示するチャンネル変更信号を車載用テレビＡへと出力し、処理を終了する。これにより、ユーザーが頻繁に視聴する放送が行われる時間帯になると、当該放送が行われるチャンネルへと車載用テレビＡのチャンネルが自動的に変更されるため、ユーザーは当該放送を確実に視聴することができる。
【００３２】
このように、本実施形態の視聴案内装置では、コントローラ７は、計時機器４から日付、曜日および時刻を所定時間毎に取得し、当該日付、当該曜日の当該時刻前後の時間帯における、各チャンネルと対応する視聴回数カウンタの値を、データ記憶器６から読み出す。所定値以上の視聴回数カウンタがあった場合、コントローラ７は、当該日付、当該曜日の当該時刻前後の時間帯における、当該カウンタに対応するチャンネルで行われる放送が、ユーザーによって頻繁に視聴される放送であると判断し、案内画像データおよび案内音声データを生成して、車載用テレビＡへと出力してユーザーに通知させる。これにより、ユーザーが頻繁に視聴する放送がある場合、当該曜日の当該時間帯前後になると、当該放送を視聴するよう通知でき、その結果として、ユーザーは当該放送を確実に視聴できるとともに、当該放送が放送される日付、曜日および時間帯において、ユーザーは他のチャンネルを視聴することも可能となる。
【００３３】
次に、本実施形態の変形例について説明する。本変形例の視聴案内装置は、放送を録画する録画機器に録画のための各種設定が行われると、当該設定に従って視聴回数カウンタの値を変更する。上述した点が、本変形例のポイントである。
【００３４】
図４は、本変形例における視聴案内装置の全体構成を示すブロック図である。
【００３５】
図４に示すように、録画機器Ｃはビデオ機器であり、放送を録画するための録画日付、録画曜日、録画時間帯、録画チャンネル名が設定（以下、録画設定とする）されると、当該日付、当該曜日の当該時間帯において、当該チャンネル名のチャンネルで放送される番組の録画を行い、録画データを生成する。また、生成した録画データを車載用テレビＡのＴＶチューナ１へ出力し、録画した番組の再生も行わせる。さらに、録画機器Ｃは、録画設定が行われた際には、設定された録画日付、録画曜日、録画時間帯、録画チャンネル名の各々を、視聴案内装置Ｂのコントローラ７へと出力することも行う。
【００３６】
本実施形態のコントローラ７は、前述の実施形態の機能に加え、録画機器Ｃから録画日付、録画曜日、録画時間帯、録画チャンネル名の各々を取得すると、当該日付、当該曜日の当該時間帯において、当該チャンネル名のチャンネルが視聴されるものと判断し、データ記憶器６に記憶された各視聴回数カウンタのうち、当該日付、当該曜日の当該時間帯における、当該チャンネル名に対応する視聴回数カウンタの値を１だけ加算する。
【００３７】
その他の構成・動作に関しては、前述の実施形態の場合と同様であるため、説明を省略する。
【００３８】
図５は、本変形例の視聴案内装置が、録画機器Ｃに設定された録画日付、録画曜日、録画時間帯、録画チャンネル名に従って、視聴回数カウンタの値を変更する処理に関するフローチャートである。本フローチャートの処理は、録画機器Ｃに録画設定が行われるたびに、図２のフローチャートの処理とは独立して実行される。
【００３９】
ステップ５０１では、コントローラ７は、録画機器Ｃから録画日付、録画曜日、録画時間帯、録画チャンネル名を取得する。ステップ５０２では、データ記憶器６に記憶された各視聴回数カウンタのうち、ステップ５０１で取得した録画日付、録画曜日の録画時間帯における、録画チャンネル名に対応する視聴回数カウンタの値を１だけ加算して、処理を終了する。
【００４０】
このように、本変形例の視聴案内装置では、録画機器Ｃに対して録画設定が行われると、当該設定に従って視聴回数カウンタの値を変更する。これにより、録画機器Ｃによって録画する放送までも考慮して、各曜日の各時間帯における、各チャンネルに対応する視聴回数カウンタの値を変更することができる。
【００４１】
前述した実施形態および変形例では、各日付、各曜日における各時間帯別に、車載用テレビＡの各チャンネルが視聴された回数を視聴回数カウンタによってカウントするとともに、当該カウンタの値に従ってユーザーに通知を行った。しかしながら、視聴回数をカウントする以外にも、例えばユーザーが最近視聴した番組の全視聴時間に占める、各番組の視聴時間や、ユーザーが最近視聴した全番組数に占める各番組数を視聴頻度として定義し、前述の視聴頻度が高い番組についてユーザーに通知を行うこととしても良い。また、上述の２つの方法を両方使用することとしても良い。
【００４２】
前述した実施形態および変形例では、視聴案内装置Ｂは、ユーザーが車載用テレビＡで頻繁に視聴する放送に関して通知を行った。しかしながら、テレビに限定されるものではなく、例えばラジオ等の放送受信機器に対しても好適に利用できる。
【００４３】
前述した実施形態および変形例では、視聴案内装置Ｂは車載用テレビＡに接続されて動作した。しかしながら、これに限定されるものではなく、家庭や会社で使用される固定型テレビに接続しても、好適に利用できる。しかしながら、最も好適であるのは、車両に搭載されたテレビに利用した場合であることを言及しておく。
【図面の簡単な説明】
【００４４】
【図１】本発明の一実施形態における視聴案内装置の全体構成を示すブロック図である。
【図２】本実施形態の視聴案内装置が、各日付、各曜日の各時間帯別に、車載用テレビＡの各チャンネルが設定された回数をカウントする処理に関するフローチャートである。
【図３】本実施形態の視聴案内装置が、ユーザーによって頻繁に視聴される放送が行われる時間帯になると、当該放送を視聴するよう通知する処理に関するフローチャートである。
【図４】本変形例における視聴案内装置の全体構成を示すブロック図である。
【図５】本変形例の視聴案内装置が、録画機器に設定された録画日付、録画曜日、録画時間帯、録画チャンネル名に従って、視聴回数カウンタの値を変更する処理に関するフローチャートである。
【符号の説明】
【００４５】
Ａ…車載用テレビ
Ｂ…視聴案内装置
Ｃ…録画機器
１…ＴＶチューナ
２…モニタ
３…スピーカ
４…計時機器
５…番組名データベース
６…データ記憶器
７…コントローラ
【図１】
2006270611.tif 000003
【図２】
2006270611.tif 000004
【図３】
2006270611.tif 000005
【図４】
2006270611.tif 000006
【図５】
2006270611.tif 000007